(57)【要約】【課題】  箱等にＩＣタグを装着する場合、箱等の装着部にＩＣタグをフィットさせるには、装着部の形状に合わせてＩＣタグを特注するか、或は市販のＩＣタグに合わせて箱等の構造を決定する必要があり、その分コストが上昇する問題があった。【解決手段】  ＩＣチップ７ｂを保持するチップ座７ｃを備えた主板７ｄと、その主板７ｄの裏側にあって線状のアンテナ８を巻き付ける巻線部７ｅを有する副板７ｆで形成したＩＣタグ用のチップホルダー７ａを提供する。このチップホルダー７ａに安価な市販のＩＣチップ７ｂを装着するようにすれば、高価な特注品と同等のＩＣタグが低価格に製造できる。【選択図】        図１
2006206191.tif 000002
【特許請求の範囲】
【請求項１】
ＩＣチップを保持するチップ座を備えた主板と、その主板の裏側にあって線状のアンテナを巻き付ける巻線部を有する副板で形成したことを特徴とするＩＣタグ用のチップホルダー。
【請求項２】
前記副板の両横に張出部を形成して主板より横長に形成し、前記張出部にアンテナを通す上下２本の案内突起を設けたことを特徴とする請求項１記載のＩＣタグ用のチップホルダー。
【請求項３】
請求項１又は２に記載のチップホルダーのチップ座にＩＣチップを取り付けてなることを特徴とするＩＣタグ。
【発明の詳細な説明】
【技術分野】
【０００１】
本発明は、ＩＣタグ用のチップホルダー及びＩＣタグに関する。
【背景技術】
【０００２】
ＩＣタグとアンテナを備え、受信機又は送受信機とＩＣタグ間でデータを交信するようにした箱が例えば特許文献１に記載されている。
【特許文献１】特開２００２−２３４５４２号公報
【０００３】
この従来の箱はＩＣタグとアンテナが一箇所に集中して設けられていたため、例えば箱の前後が逆になっていた場合、ＩＣタグと送受信機等が交信できずにエラーになる。従って従来の箱で物品を流通させる場合、箱の向きに常に注意して取り扱う必要があるため、使い勝手が非常に悪かった。また、送受信機等がハンディタイプである場合、ＩＣタグの位置を確認してそこに送受信機等を向かわせるまでの作業が時間のロスになっていた。
【発明の開示】
【発明が解決しようとする課題】
【０００４】
上記のような箱等にＩＣタグを装着する場合、箱等の装着部にＩＣタグをフィットさせるには、装着部の形状に合わせてＩＣタグを特注するか、或は市販のＩＣタグに合わせて箱等の構造を決定する必要があり、その分コストが上昇する問題があった。
【課題を解決するための手段】
【０００５】
請求項１に記載したように、ＩＣチップを保持するチップ座を備えた主板と、その主板の裏側にあって線状のアンテナを巻き付ける巻線部を有する副板で形成したＩＣタグ用のチップホルダーを提供する。
【０００６】
また、請求項２に記載したように、前記副板の両横に張出部を形成して主板より横長に形成し、前記張出部にアンテナを通す上下２本の案内突起を設けた請求項１記載のＩＣタグ用のチップホルダーを提供する。
【０００７】
また、請求項３に記載したように、請求項１又は２に記載のチップホルダーのチップ座にＩＣチップを取り付けてなるＩＣタグを提供する。
【発明の効果】
【０００８】
本発明のチップホルダーは、主板のチップ座にＩＣチップを嵌め、主板裏面の巻線部にアンテナを巻き付けることによりＩＣタグとなる。チップホルダーは、樹脂成型品等とすることにより、ＩＣタグ装着部の形状にフィットさせて形成することが安価に行える。よって、本発明のチップホルダーに安価な市販のＩＣチップを装着するようにすれば、高価な特注品と同等のＩＣタグが低価格に提供できる。
【発明を実施するための最良の形態】
【０００９】
［実施形態１］
以下に本発明の実施形態１を図１〜図４に基づき説明する。なお、図１は箱の分解斜視図、図２は箱の斜視図、図３は箱の縦断面図、図４（ａ）はＩＣタグの分解斜視図、図４（ｂ）はＩＣタグの斜視図である。
【００１０】
箱１は、図１，図２に示したように、例えば四角い底板２の周囲に矩形の周壁構成板３ａ〜３ｄを立設して上面に開口部４を形成したものである。底板２と周壁構成板３ａ〜３ｄの材質は、紙、木、合成樹脂等何でもよい。また、箱１は、周壁構成板３ａ〜３ｄの上端に断面下向きコ字状の枠材５ａ〜５ｄを被せて開口縁をその枠材５ａ〜５ｄで縁取りし、さらに開口部４のコーナーにコーナー部材６，６…を固着してなる。各コーナー部材６は合成樹脂の一体成型品であって、平面視Ｌ字型の水平板６ａと、その水平板６ａの両側縁から下向きに垂設した二片のクランプ板６ｂ，６ｂと、水平板６ａの外側縁に上向きに突設した囲い枠６ｃとからなり、二片のクランプ板６ｂ，６ｂを前記枠材５ａ〜５ｄの外側に被せてその枠材５ａ〜５ｄに溶着、接着、鋲着、嵌め殺し等の適宜な手段で固着する。従って４本の枠材５ａ〜５ｄはコーナー部材６，６…によって額縁状に連結される。
【００１１】
しかして前記周壁構成板３ａ〜３ｄの上部にはＩＣタグ７が設置され、さらに開口部４の周りがＩＣタグ７用のアンテナ８で環状に囲われている。
【００１２】
前記ＩＣタグ７は、図４（ａ），（ｂ）に示したように、合成樹脂製のチップホルダー７ａとＩＣチップ７ｂを組み合わせてなる。
前記ＩＣチップ７ｂは公知のものであり、コイン形態のケース内に例えば無線用の送受信機と、情報を記録するメモリと、受信した情報のメモリへの書込やメモリ情報を読み出して送信する情報処理用の中央演算処理装置、等を有する。なお、ＩＣタグ７のＩＣチップ７ｂはバッテリーレスであり、アンテナ８を介して無接触にて外部から電源電圧を得る。
【００１３】
前記チップホルダー７ａは、合成樹脂の成型品であり、ＩＣチップ７ｂを保持するチップ座７ｃを備えた主板７ｄと、その主板７ｄの裏側にあって線状のアンテナ８を巻き付ける巻線部７ｅを有する副板７ｆで構成される。主板７ｄの前記チップ座７ｃはＩＣチップ７ｂがぴったり収まる円形の窪みであり、実施形態ではその窪みの外縁の一部にＩＣチップ７ｂの縁に指を掛けやすくするための凹欠部７ｇが設けてある。この凹欠部７ｇを使えばチップ座７ｃからＩＣチップ７ｂが容易に取り外せるため、箱１のリサイクルに際しＩＣチップ７ｂの分離・回収が効率よく簡単に行える。一方、前記副板７ｆは主板７ｄより横長にして横方向に張り出させ、その張出部７ｈにアンテナ８を通す上下２本の案内突起７ｉ，７ｊが設けてある。この案内突起７ｉ，７ｊは上下何れか一方（実施形態では下）の案内突起７ｊ（又は７ｉ）を高くしてある。こうすることにより、高い方の案内突起７ｊ（又は７ｉ）に当たったアンテナ８が案内突起７ｉ，７ｊ間に自然に導かれるから、案内突起７ｉ，７ｊ間にアンテナ８を通す作業の作業性が向上する。
【００１４】
前記アンテナ８は１本の連続した長い導電線であり、図１に示したようにＩＣタグ７の前記巻線部７ｅにＩＣチップ７ｂの仕様に従い複数回（例えば３回）巻き付け、さらに両端同士を例えば撚るなどして環状に繋いだものである。
【００１５】
以上の構成よりなるＩＣタグ７とアンテナ８は前記箱１に対し次のようにして取り付けられている。すなわち、図１に示したように箱１の周壁構成板３ａの上縁にＩＣタグ７のチップホルダー７ａにフィットする切欠９を形成し、その切欠９にＩＣタグ７を収める。一方、全ての周壁構成板３ａ〜３ｄの上部外周に横向きの凹溝１０を形成し、その凹溝１０にアンテナ８を収める。なお、アンテナ８の両端を撚って繋いだ部分は太くなるため、周壁構成板３ａ又は３ｂのコーナー部分に設けた逃がしスペース１１に収めておく。なお、図９に示したようにＩＣタグ７を設けた周壁構成板３ａと対向する周壁構成板３ｃにＩＣチップ７ｂを設けない空のチップホルダー７ａを設置し、そのチップホルダー７ａの巻線部７ｅにアンテナ８を複数回巻き付けるようにすればアンテナ８の感度を高めることができる。
【００１６】
次ぎに周壁構成板３ａ〜３ｄの上端に枠材５ａ〜５ｄを被せて開口縁をその枠材５ａ〜５ｄで縁取りする。そうすると、ＩＣタグ７とアンテナ８の全てが枠材５ａ〜５ｄ内に隠れ、外部から全く見えない状態になる。そしてさらに枠材５ａ〜５ｄ同士をコーナー部材６，６…で連結する。
【００１７】
実施形態１の箱１は以上の構成であってＩＣタグ７のアンテナ８が開口部４の周りを環状に囲っているため、ＩＣタグ７の位置に関係なく受信機や送受信機が箱１の周りのどの方向にあっても確実に交信することができる。また、アンテナ８が開口部４の周りを囲っているため、アンテナ８の感度次第では開口部４の上からでもＩＣタグ７と送受信機等が交信できる。
【００１８】
［実施形態２］
図５〜図８は本発明の実施形態２を示すもので、図５は箱の分解斜視図、図６は箱の斜視図、図７は箱の縦断面図、図８は箱のさらなる分解斜視図である。なお、図５〜図８及び図９，図１０において実施形態１と同符号の部材は、特段の説明がない限り実施形態１と同一又は同機能の部材である。
【００１９】
実施形態２の箱１は、折り畳み自在構造であって、向かい合う二つの周壁構成板３ｂ，３ｄをその上縁の折曲線１２を中心にして内向き揺動自在となし、残る二つの周壁構成板３ａ，３ｃを図７二点鎖線に示したように、中央の折曲線１３を中心にして屏風折り自在とし、そのような周壁構成板３ａ〜３ｄの組み合わせにより扁平な状態に折り畳み得る。
【００２０】
箱１を構成する底板２や周壁構成板３ａ〜３ｄは、ポリプロピレンを発泡させた合成樹脂板（以下発泡板という。）の両面にポリプロピレンの薄いフィルムを貼着した複合構造であって全体が約５ｍｍ程度の厚さである。前記周壁構成板３ａ〜３ｄの各ヒンジ部（折曲線１２，１３等）は、発泡板の深さの途中まで切込線を入れ、片方のフィルムを無傷のまま残しその残ったフィルムをヒンジの中心にして曲げ伸ばしするようにしたものである（以下このような切込線を「ハーフカットの切込線」という。）。
【００２１】
各周壁構成板３ａ〜３ｄの上端はハーフカットの切込線を設けて折り返すことにより２重となし、その重合面間に前記アンテナ８を挟み込む。一方、そのような多重折返し部に対応する枠材５ａ（枠材５ｂ〜５ｄも同じ。）は、周壁構成板３ａ（周壁構成板３ｂ〜３ｄも同じ。）が２枚収まる広さの角穴を有するパイプ状であって周壁構成板３ａが１枚通る開口１４を底に設けた形態であり、周壁構成板３ａに対して横からスライドさせて装着する。よって枠材５ａは、周壁構成板３ａに対して特段の固着手段を設けなくとも折返し部による引っ掛かりがあるため上向きに引いても抜けるおそれがない。
【００２２】
また、実施形態２の箱１には１つの枠材５ｃに基端を取り付けた開閉自在な蓋１５が設けられている。この蓋１５に対応するため枠材５ｃは、中央に水平な仕切１６を設けて角穴を上下に分割し、下半分の角穴で周壁構成板３ｃに対応すると共に上半分の角穴で蓋１５に対応する。すなわち、枠材５ｃの下半分の角穴に周壁構成板３ｃの上端の折返しを嵌め、上半分の角穴に蓋１５の基端に設けた折返しを嵌める。なお、蓋１５の基端の折返しは、周壁構成板３ｃの折返しと同じであってハーフカットの切込線で形成する。
一方、蓋１５は、自由端側の先端に熱変形させて折り曲げた鍵部１７が形成されており、この鍵部１７を枠材５ａの縁に係合させる。これにより蓋１５が無用にばたつかない。
【００２３】
その他、図中、符号１８は周壁構成板３ｂ，３ｄに設けた把手であり、前記周壁構成板３ｂ，３ｄの折り返した上端部と同形状にした頭部１８ａが枠材５ｂ，５ｃに嵌まる。なお、この把手１８の頂部には凹状の窪み１８ｂが設けてあり、この窪み１８ｂの中を前記アンテナ８が通る。
【００２４】
以上本発明を実施形態１，２について説明したが、もちろん本発明は上記実施形態に限定されるものではない。例えば、実施形態ではアンテナ８を導電線で形成したが、カーボン等を混練して導電性を持たせた印刷インキで印刷してアンテナ８としてもよい。その場合もアンテナ８を周壁構成板３ａ〜３ｄの折り返した重合面に位置させるようにするとよい。そうすることにより周壁構成板３ａ〜３ｄの上端に枠材５ａ〜５ｄを嵌めるとき、周壁構成板３ａ〜３ｄと枠材５ａ〜５ｄが擦れ合っても印刷されたアンテナ８が傷付きにくい。図１０は印刷によりアンテナ８を形成した場合の箱１のコーナーを示したものであり、この図１０に示したようにコーナーに対し導電性のジョイント１９を導電性の接着剤で接着するようにしてもよい。
【００２５】
また、実施形態ではＩＣタグ７をＩＣチップ７ｂとチップホルダー７ａの組み合わせとして例示したが、ＩＣチップ７ｂのみで箱１に装着できる場合にはチップホルダー７ａはなくてもよい。この場合はＩＣチップ７ｂ自体がＩＣタグ７となる。
また、図１１に示したように把手１８をＩＣタグ７のチップホルダー７ａとして利用し、把手１８に設けたチップ座７ｃにＩＣチップ７ｂを装着するようにしてもよい。把手１８は合成樹脂の成型品であるため、そのような加工には柔軟に対応できる。
また、実施形態ではＩＣタグ７とアンテナ８を枠材５ａ〜５ｄ内に収めるようにしたが、枠材５ａ〜５ｄを設けなくとも本発明が達成しようとする最低限の機能は果たし得る。
また、箱１を構成する材質は、上記した発泡板以外にプラスチック段ボールでももちろんよい。
また、箱１の形状は実施形態のような直方体に限定されず、円柱形や多角柱形（３角、５角、６角、７角、８角等）でもよい。
【００２６】
なお、上記実施形態の説明は、以下のような技術的思想の実施形態として把握することもできる。
［請求項１］周壁構成板の上部にＩＣタグを設置すると共に開口部の周りをＩＣタグ用のアンテナで環状に囲うようにした箱。
［請求項２］周壁構成板の上端に枠材を被せて上面の開口縁をその枠材で縁取りし、その枠材内の任意の場所にＩＣタグを設置すると共に枠材内にＩＣタグ用のアンテナを設けた請求項１記載の箱。
［請求項３］前記周壁構成板の上端を多重に形成し、その周壁構成板の重合面間に前記アンテナを設けるようにした請求項１又は２記載の箱。
［請求項４］前記周壁構成板の上部に切欠を形成し、その切欠内にＩＣタグを収めるようにした請求項１乃至３の何れか１項に記載の箱。
［請求項５］前記ＩＣタグは、ＩＣチップと、そのＩＣチップを収めるチップホルダーで形成し、さらにチップホルダーにアンテナの巻回部を設けてなる請求項４記載の箱。
【図面の簡単な説明】
【００２７】
【図１】箱の分解斜視図である。
【図２】箱の斜視図である。
【図３】箱の縦断面図である。
【図４】（ａ）はＩＣタグの分解斜視図、（ｂ）はＩＣタグの斜視図である。
【図５】箱の分解斜視図である。
【図６】箱の斜視図である。
【図７】箱の縦断面図である。
【図８】箱のさらなる分解斜視図である。
【図９】他の形態を示す箱の斜視図である。
【図１０】（ａ），（ｂ）は他の形態を示す箱の要部拡大斜視図である。
【図１１】他の形態を示す把手の斜視図である。
【符号の説明】
【００２８】
７  …ＩＣタグ
７ａ…チップホルダー
７ｂ…ＩＣチップ
７ｃ…チップ座
７ｄ…主板
７ｅ…巻線部
７ｆ…副板
７ｈ…張出部
７ｉ，７ｊ…案内突起
８  …アンテナ
【図１】
2006206191.tif 000003
【図２】
2006206191.tif 000004
【図３】
2006206191.tif 000005
【図４】
2006206191.tif 000006
【図５】
2006206191.tif 000007
【図６】
2006206191.tif 000008
【図７】
2006206191.tif 000009
【図８】
2006206191.tif 000010
【図９】
2006206191.tif 000011
【図１０】
2006206191.tif 000012
【図１１】
2006206191.tif 000013